(57)【要約】【課題】接触による押圧に起因する表示ムラを低減できる液晶表示装置を提供する。【解決手段】液晶層を挟持するように対向する第１基板および第２基板と、第１基板に設けられた複数の画素領域と、画素領域のそれぞれにおいて、第１基板の液晶層の側に設けられ、液晶層に対して平行な方向に電界を発生することによって、画素領域の液晶層の光透過率を変化させる１対の電極と、画素領域が表示すべき画像データに基づいて、電極を駆動する駆動電圧を印加する制御回路とを備え、制御回路は、所定の周期において、駆動電圧が最大駆動電圧の２０％以上かつ７０％以下であるように駆動電圧を制限する。【選択図】図１
2011197305.tif 000002
【特許請求の範囲】
【請求項１】
液晶層を挟持するように対向する第１基板および第２基板と、
前記第１基板に設けられた複数の画素領域と、
該第1基板と該第２基板の間に挟まれ、電界が発生していない状態において液晶分子が該第1基板と該第２基板に対してほぼ垂直方向に配列する液晶層と、
前記画素領域のそれぞれにおいて、前記第１基板の前記液晶層の側に設けられ、前記液晶層に対して平行な方向に電界を発生することによって、前記画素領域の前記液晶層の光透過率を変化させる１対の電極と、
前記画素領域が表示すべき画像データに基づいて、前記電極を駆動する駆動電圧を印加する制御回路と
を備える液晶表示装置であって、
前記制御回路は、所定の周期において、前記駆動電圧が最大駆動電圧の２０％以上かつ７０％以下であるように前記駆動電圧を制限する
液晶表示装置。
【請求項２】
前記制御回路は、前記駆動電圧が前記最大駆動電圧の７５％以上である部分に対応する前記電極の前記駆動電圧が、前記最大駆動電圧の２０％以上かつ７０％以下であるように前記駆動電圧を制限する
請求項１に記載の液晶表示装置。
【請求項３】
対向する第１基板および第２基板と、
前記第１基板に設けられた複数の画素領域と、
該第1基板と該第２基板の間に挟まれ、電界が発生していない状態において液晶分子が該第1基板と該第２基板に対してほぼ垂直方向に配列する液晶層と、
前記画素領域のそれぞれにおいて、前記第１基板の前記液晶層の側に設けられ、前記液晶層に対して平行な方向に電界を発生することによって、前記画素領域の前記液晶層の光透過率を変化させる１対の電極と、
接触を検出する前記第２基板に設けられたタッチパネルと
前記画素領域が表示すべき画像データに基づいて、前記電極を駆動する駆動電圧を印加する制御回路と
を備える液晶表示装置であって、
前記接触が検出されるとき、
前記制御回路は、前記駆動電圧が最大駆動電圧の２０％以上かつ７０％以下であるように前記駆動電圧を制限する
液晶表示装置。
【請求項４】
前記制御回路は、前記接触が検出される部分およびその周辺部分に対応する前記電極の前記駆動電圧が、前記最大駆動電圧の２０％以上かつ７０％以下であるように前記駆動電圧を制限する
請求項３に記載の液晶表示装置。
【請求項５】
前記制御回路は、前記駆動電圧が前記最大駆動電圧の７５％以上である部分に対応する前記電極の前記駆動電圧が、前記最大駆動電圧の２０％以上かつ７０％以下であるように前記駆動電圧を制限する
請求項３または請求項４に記載の液晶表示装置。
【発明の詳細な説明】
【技術分野】
【０００１】
本発明は、垂直配向方式の液晶表示装置に関する。
【背景技術】
【０００２】
液晶表示装置は、電極が発生する電界によって、基板上の画素領域中の液晶の光透過率を制御する。無電界時において液晶分子を基板に対し垂直方向に配列する、垂直配向方式が知られている。垂直配向方式の液晶表示装置においては、上下基板上に設けられた電極対によって発生された縦電界によって、液晶の光透過率を制御する方式と、片側基板に設けられたくし歯電極対によって発生された横電界によって、液晶の光透過率を制御する方式がある。
【０００３】
また表示部への接触（タッチともいう）を検出するタッチパネルを有する液晶表示装置も近年よく使われており、上記２つの方式の液晶表示装置にも適用が検討されている。
【先行技術文献】
【特許文献】
【０００４】
【特許文献１】特開２００３−３２９９９７号公報
【発明の概要】
【発明が解決しようとする課題】
【０００５】
しかし上記２つの方式の装置ではどちらも、接触を強くすると接触を離しても明るい表示パターンの場所が表示ムラとして見えることがあったが、表示ムラを低減する必要がある。この原因は、どちらの方式においても接触によるセル厚の変化で液晶分子の配向が変化し、固定してしまうためである。
【０００６】
縦電界を用いる方式に対しては、特許文献１のように駆動電圧を２０％以下にする方法が提案されているが、この方法では表示が暗くなってしまうという問題があった。
【０００７】
本発明は、表示を明るくさせたまま、接触による押圧に起因する表示ムラを低減できる液晶表示装置を提供することを目的とする。
【課題を解決するための手段】
【０００８】
本発明のある実施形態による液晶表示装置は、対向する第１基板および第２基板と、前記第１基板に設けられた複数の画素領域と、前記第1基板と前記第２基板の間に挟まれ、電界が発生していない状態において液晶分子が前記第1基板と前記第２基板に対してほぼ垂直方向に配列する液晶層と、前記画素領域のそれぞれにおいて、前記第１基板の前記液晶層の側に設けられ、前記液晶層に対して平行な方向に電界を発生することによって、前記画素領域の前記液晶層の光透過率を変化させる１対の電極と、前記画素領域が表示すべき画像データに基づいて、前記電極を駆動する駆動電圧を印加する制御回路とを備え、前記制御回路は、所定の周期において、前記駆動電圧が最大駆動電圧の２０％以上かつ７０％以下であるように前記駆動電圧を制限する。
【０００９】
上記構成により、従来の液晶表示装置に比べてより明るくかつ表示ムラの低減を実現できる。
【００１０】
本発明の他の実施形態による液晶表示装置は、対向する第１基板および第２基板と、前記第１基板に設けられた複数の画素領域と、前記第1基板と前記第２基板の間に挟まれ、電界が発生していない状態において液晶分子が前記第1基板と前記第２基板に対してほぼ垂直方向に配列する液晶層と、前記画素領域のそれぞれにおいて、前記第１基板の前記液晶層の側に設けられ、前記液晶層に対して平行な方向に電界を発生することによって、前記画素領域の前記液晶層の光透過率を変化させる１対の電極と、接触を検出する前記第２基板に設けられたタッチパネルと前記画素領域が表示すべき画像データに基づいて、前記電極を駆動する駆動電圧を印加する制御回路とを備え、前記接触が検出されるとき、前記制御回路は、前記駆動電圧が最大駆動電圧の２０％以上かつ７０％以下であるように前記駆動電圧を制限する。
【００１１】
上記構成により、不要なときには、駆動電圧が制限されないので、さらに透過率の低減を避けることができ、明るい表示が可能である。
【発明の効果】
【００１２】
本発明によれば、明るくかつ接触による押圧に起因する表示ムラを低減できる液晶表示装置を提供できる。
【図面の簡単な説明】
【００１３】
【図１】本発明の例示的実施形態による液晶表示装置を示すブロック図である。
【図２】図１に示す画素領域の等価回路図である。
【図３】画素電極および共通電極の配置図である。
【図４】液晶表示パネルの、図３の一点鎖線ＩＶ−ＩＶで切った断面図である。
【図５】電極に電圧が印加されていないときの液晶表示パネル中の液晶分子を示す図である。
【図６】（ａ）は、押圧が加えられていない状態において、大きい電圧が電極に印加されているときの液晶表示パネル中の液晶分子を示す図である。（ｂ）は、押圧が加えられている状態において、大きい電圧が電極に印加されているときの液晶表示パネル中の液晶分子を示す図である。（ｃ）は、押圧が除かれた状態において、大きい電圧が電極に印加されているときの液晶表示パネル中の液晶分子を示す図である。
【図７】（ａ）は、押圧が加えられていない状態において、電極に印加されている電圧が小さいときの液晶表示パネル中の液晶分子を示す図である。（ｂ）は、押圧が加えられている状態において、電極に印加されている電圧が小さいときの液晶表示パネル中の液晶分子を示す図である。（ｃ）は、押圧が除かれた状態において、電極に印加されている電圧が小さいときの液晶表示パネル中の液晶分子を示す図である。
【図８】押圧と、表示ムラが消える駆動電圧との関係を示すグラフである。
【図９】駆動電圧の制限を示す波形図である。
【発明を実施するための形態】
【００１４】
以下の説明において、同じ参照符号は同一または等価な構成要素を示す。
【００１５】
（液晶表示装置の概略）
図１は、本発明の例示的実施形態による液晶表示装置１００を示すブロック図である。液晶表示装置１００は、アクティブマトリクス型の液晶表示パネル１１０、ソースドライバ（データ信号線駆動回路ともいう）１２０、ゲートドライバ（走査信号線駆動回路ともいう）１３０、ＣＳドライバ（ＣＳバスライン駆動回路ともいう）１４０、および制御回路１５０を備える。ソースドライバ１２０、ゲートドライバ１３０、ＣＳドライバ１４０、およびこれらドライバを制御する制御回路１５０は、液晶表示パネル１１０を駆動する。
【００１６】
液晶表示パネル１１０は、複数の画素領域Ｐに分割されている。ソースドライバ１２０は、複数のソースラインＳｎ（データ信号線ともいう）を駆動する。ゲートドライバ１３０は、複数のゲートラインＧｎ（走査信号線ともいう）を駆動する。ＣＳドライバ１４０は、複数のＣＳラインＣｓｎを駆動する。それぞれの画素領域Ｐは、画素電極１１２を有する。
【００１７】
液晶表示装置１００の構成において、典型的にはソースラインＳｎは、液晶表示パネル１１０の「列（カラム）」すなわち鉛直方向に平行であり、ゲートラインＧｎおよびＣＳラインＣｓｎは、液晶表示パネル１１０の「行（ロウ）」すなわち水平方向に平行である。しかしこのような構成には限定されず、例えば、それぞれのラインが９０度ずれた向きに配置されてもよい。
【００１８】
図４を参照して後述するように、液晶表示パネル１１０の上にタッチパネル４５０を設けてもよい。これにより、ユーザが指やスタイラスなどで液晶表示パネル１１０に接触している箇所を検出し、その位置情報を制御回路１５０に出力することができる。典型的にはタッチパネル４５０は、抵抗膜方式または静電容量方式で実現できるが、これらには限定されず、接触位置を検出できる任意の感圧デバイスでありえる。
【００１９】
制御回路１５０は、画素領域Ｐが表示すべき画像を表すデータを外部機器から受け取る。制御回路１５０は、この画像データに基づいて、画素領域Ｐに対応する電極を駆動するための駆動電圧を発生する。
【００２０】
図２は、図１に示す画素領域Ｐの等価回路図である。それぞれの画素領域Ｐは、画素電極１１２、共通電極１１４、補助容量１１６、液晶容量１１８、および薄膜トランジスタ（thin film transistor、ＴＦＴ）１２２を有する。ＣＳラインＣｓｎは、画素電極１１２と容量結合されることによって、画素電極１１２との間に補助容量１１６を形成する。画素電極１１２および共通電極１１４は、それらの間に液晶層を挟持し、液晶容量１１８を形成する。
【００２１】
ソースラインＳｎは、列方向（図１の紙面の縦方向）に互いに平行となるように各列に１本ずつ形成される。ゲートラインＧｎは行方向（図１の紙面の横方向）に互いに平行となるように各行に１本ずつ形成される。ＣＳラインＣｓｎは、行方向（図１の紙面の横方向）に互いに平行となるように各行に１本ずつ形成される。よってゲートラインＧｎおよびＣＳラインＣｓｎは、対をなすように配置される。
【００２２】
ＴＦＴ１２２、画素電極１１２および共通電極１１４は、ソースラインＳｎとゲートラインＧｎとの交点に対応する位置にそれぞれ形成される。ＴＦＴ１２２のソース電極ｓは、ソースラインＳｎに接続される。ＴＦＴ１２２のゲート電極ｇは、ゲートラインＧｎに接続される。ＴＦＴ１２２のドレイン電極ｄは画素電極１１２に接続される。
【００２３】
ゲートラインＧｎに供給されるゲート信号（走査信号ともいう）は、ＴＦＴ１２２をオンする。その結果、ソースラインＳｎに供給されるソース信号（データ信号ともいう）を画素電極１１２に印加すると、画素電極１１２は、ソース信号に応じた電位になる。画素電極１１２および共通電極１１４の間にある液晶に、ソース信号に応じた電界を印加することによって、ソース信号に応じた階調を表示できる。
【００２４】
図３は、画素電極１１２および共通電極１１４の配置図である。液晶表示パネル１１０は、アクティブマトリクス基板（電極基板ともいう）３０２と、それに対向する基板と有する。画素電極１１２および共通電極１１４は、それぞれ櫛状のパターンを有するようにアクティブマトリクス基板３０２上に形成される。
【００２５】
図４は、液晶表示パネル１１０の、図３の一点鎖線ＩＶ−ＩＶで切った断面図である。液晶表示パネル１１０は、アクティブマトリクス基板３０２および対向基板４０２と、それら基板に挟持される液晶層４１０を有する。液晶表示パネル１１０は、対向基板４０２の上に設けられたタッチパネル４５０も有する例を示したものである。タッチパネル４５０は、ユーザが液晶表示パネル１１０を触ったときに、接触を検出する。画素電極１１２および共通電極１１４は、アクティブマトリクス基板３０２上の液晶層４１０の側に形成される。本発明の実施形態による液晶表示パネル１１０は、一方の基板（アクティブマトリクス基板３０２）上に画素電極１１２と共通電極１１４とを形成することにより、アクティブマトリクス基板３０２に対して水平方向に発生する横電界を用いて液晶層４１０中の液晶分子をスイッチングさせて画像を表示する。典型的にはカラーフィルタ（不図示）が対向基板４０２上に設けられる。
【００２６】
本発明のある実施形態によれば、液晶表示装置１００は、アクティブマトリクス基板３０２と対向基板４０２との間にある垂直方向に配向させた液晶層４１０をアクティブマトリクス基板３０２上に形成される電極１１２，１１４によって発生された横電界を利用する。この横電界は、液晶層４１０にある液晶分子を横方向に寝かせる。その結果、電極１１２，１１４に印加された電圧に対応して、画素領域の液晶層４１０の光透過率が変化し、画像を表示できる。液晶表示装置１００は、タッチパネル４５０も有するので、パネル上への接触によってその位置を検出できる。すなわち液晶表示装置１００は、データの入力およびデータの表示の両方を実現できる。
【００２７】
（動作原理）
図５〜図７でも、図４に示したように、タッチパネル４５０は基板４０２上に設けられてもよい。以下の説明ではタッチパネルを設けたものを用いる。
【００２８】
図５は、電極１１２，１１４に電圧が印加されていないときの液晶表示パネル１１０中の液晶分子を示す図である。電圧が印加されていない状態では、液晶分子は、基板３０２，４０２に垂直な方向に配向されている。換言すれば液晶分子は、基板３０２，４０２の法線に平行な方向に配向されている。
【００２９】
図６（ａ）は、押圧が加えられていない状態において、大きい電圧が電極１１２，１１４に印加されているときの液晶表示パネル１１０中の液晶分子を示す図である。図６（ｂ）は、押圧が加えられている状態において、大きい電圧が電極１１２，１１４に印加されているときの液晶表示パネル１１０中の液晶分子を示す図である。図６（ｃ）は、押圧が除かれた状態において、大きい電圧が電極１１２，１１４に印加されているときの液晶表示パネル１１０中の液晶分子を示す図である。
【００３０】
以下の説明では、基板３０２，４０２の法線方向において、基板３０２側を「下」とし、基板４０２側を「上」とする。液晶層４１０の法線方向の位置に依存して、液晶分子の配向方向は異なる。具体的には、液晶層４１０の下層部分では電極１１２，１１４で発生した電界による配向が支配的である。液晶層４１０の上層部分では電極１１２，１１４で発生した電界による影響はほとんどなく、対向基板４０２からの配向規制力が支配的である。液晶層４１０の中間層はこれら２つの力から影響を受けるので、配向の向きはこれらのバランスで決定される。
【００３１】
電極１１２，１１４に電圧が印加されているとき、電極のほぼ中央にある領域６０２に液晶分子が動かない部分が存在する。これは領域６０２では左右への液晶分子の回転トルクがつりあい、どちらにも回転しないことによる。図６のように大きい電界が液晶層４１０に印加されるときは、領域６０２の下層において、液晶分子は回転してほぼ水平に配向し、上層〜中間層では垂直に配向したままである。
【００３２】
タッチパネル４５０に接触するとき、接触の押圧によって液晶層４１０の厚みが小さくなる。厚みが小さくなることによって液晶層４１０中の電界が強くなり、領域６０４においては、下層だけでなく、上層〜中間層でも液晶の配向は水平になる。この水平な配向により中央部６０２は、接触していない部分と異なる明るさになる。
【００３３】
タッチパネル４５０から指を離して押圧がなくなっても、領域６０６の中間層においては、配向が水平のままである。そのため明るさが押圧前に戻らず、これがユーザの目に表示ムラとして認識されることになる。このように印加電圧が大きいときは、少しの押圧でもこのような表示ムラが発生する。
【００３４】
図７（ａ）は、押圧が加えられていない状態において、電極１１２，１１４に印加されている電圧が小さいときの液晶表示パネル１１０中の液晶分子を示す図である。図７（ｂ）は、押圧が加えられている状態において、電極１１２，１１４に印加されている電圧が小さいときの液晶表示パネル１１０中の液晶分子を示す図である。図７（ｃ）は、押圧が除かれた状態において、電極１１２，１１４に印加されている電圧が小さいときの液晶表示パネル１１０中の液晶分子を示す図である。電極１１２，１１４に印加されている電圧が小さいときは、水平方向に配向される液晶分子は少ない。そのため図７（ｂ）および図７（ｃ）に示されるように、押圧によっても表示ムラが発生しない。
【００３５】
図８は、押圧（ｋｇｆ）と、表示ムラが消える駆動電圧（最大駆動電圧に対する百分率）との関係を示すグラフである。ここで最大駆動電圧は、液晶表示パネル１１０が駆動される電圧の最大値であり、液晶表示パネル１１０の仕様に基づいて決定される。
【００３６】
比較的大きい電圧で液晶を駆動しながら押圧を加えていくとある一定の押圧で表示ムラが発生する。駆動電圧が大きい程、小さい押圧で発生する。この時点で押圧をなくしても表示ムラは消えないが、電圧を下げると表示ムラが消える。図８のグラフの縦軸は、表示ムラが消え始める駆動電圧を、最大駆動電圧に対する百分率で表す。表示ムラが消える駆動電圧は押圧に依存して変化する。しかしながら最大駆動電圧の７０％以下の電圧が電極に印加されるなら、広い範囲の押圧が加わっても表示ムラは見えない。換言すれば、印加電圧を、最大駆動電圧の７０％以下に設定すれば、接触による表示ムラは見えない。
【００３７】
パネルの製造上のバラツキ、および平均的押圧を超える接触を考慮すれば、駆動電圧はさらに低くすることが好ましい。ところが駆動電圧が最大駆動電圧の２０％より小さくなると、電圧低下に起因する透過率低下が著しくなり、これは表示品質の点から望ましくない。以上から、駆動電圧は、最大駆動電圧の約２０％〜約７０％の範囲にあることが好ましい。本明細書では、電極１１２，１１４によって液晶層に印加される電圧を、最大駆動電圧に対して所定の割合（例えば７０％以下など）に制限することを、簡単のため「駆動電圧の制限」とよぶ。
【００３８】
（駆動電圧の周期的な制限）
図９は、駆動電圧の制限を示す波形図である。縦軸Vは駆動電圧を表し、横軸ｔは時間を表す。駆動電圧の制限を常に行なうと、液晶層の透過率が下がる。そのため、各フレームに１回等、周期的に低減された駆動電圧Ｖｒで駆動することが好ましい。図９において、低減された駆動電圧Ｖｒは、最大駆動電圧Ｖｍａｘの約２０％〜約７０％の範囲にある。係数ｒが約０．２〜約０．７の範囲にあるとすれば、低減された駆動電圧Ｖｒ＝ｒ×Ｖｍａｘ（ただし０．２≦ｒ≦０．７）とかける。例えばある実施形態では、低減された駆動電圧Ｖｒを、１フレームに相当する周期である１６．７ｍｓ毎に電極１１２，１１４に印加する。ある実施形態では、制御回路１５０は、所定の周期において、駆動電圧が最大駆動電圧の７０％以下であるように駆動電圧を制限する。このように周期的に駆動電圧の制限を行うことによって、表示ムラが見えなくなるという効果が得られる。
【００３９】
本実施形態では、駆動電圧の制限は、全ての画素領域Ｐについて（すなわち液晶表示パネル１１０の全面について）周期的に行われる。この駆動電圧の周期的制限を用いれば、接触位置に依存した駆動電圧の選択的制限を行う必要がない。例えば液晶表示パネル１１０が検出した接触位置を制御回路１５０に与え、接触位置に応じた駆動電圧の制御を行う必要がない。その結果、より簡易な構成で表示ムラの低減を実現できる。
【００４０】
なお印加電圧が最大駆動電圧の7５％未満である表示領域では、押圧による表示ムラは無視できる。そのため、制御回路１５０は、駆動電圧が最大駆動電圧の７５％以上である部分に対応する電極１１２，１１４の駆動電圧が、最大駆動電圧の７０％以下になるように駆動電圧を制限する。これにより駆動電圧の制限が必要な画素領域Ｐだけに、駆動電圧の制限を加えることができる。駆動電圧が制限される画素領域Ｐだけしかその透過率が下がらないで、全体的な透過率の低減を抑えることができ、明るい表示が可能である。
【００４１】
押圧をなくしてから低減された駆動電圧によって液晶表示パネル１１０を駆動すれば、液晶層の配向は元に戻る。その結果、従来の表示装置で発生していた表示ムラを減少または防止できる。この駆動電圧の制限による光透過率の低下は少なく、実用上は無視できる。よって駆動電圧を周期的に制限することによって、表示ムラを減少できる。そのため本実施形態を実現するには、新たな駆動回路を設けなくてもよいという効果を奏する。加えて、制御回路１５０は、タッチパネル４５０によって検出された接触位置をフィードバックしなくてもよい。よってそのようなフィードバック処理を行う回路も不要であるという利点を有する。
【００４２】
（接触検出時のみの駆動電圧制限）
上記実施形態では、駆動電圧の制限は全ての画素領域Ｐについて行なった。別の変形例では、タッチパネル４５０が接触を検出するときだけ、制御回路１５０は、駆動電圧が最大駆動電圧の２０％以上かつ７０％以下であるように駆動電圧を制限する。換言すればタッチパネル４５０が接触を検出しないときは、駆動電圧は制限されない。これにより不要なときには、駆動電圧が制限されないので、透過率の低減を避けることができ、明るい表示が可能である。
【００４３】
（接触検出位置のみの駆動電圧制限）
さらなる変形例では、制御回路１５０は、タッチパネル４５０への接触が検出される部分およびその周辺部分に対応する電極の駆動電圧が、最大駆動電圧の２０％以上かつ７０％以下であるように駆動電圧を制限する。具体的には、制御回路１５０は、接触が検出されている部分およびその周辺部分に対応する画素領域Ｐを、上述の制限された駆動電圧で駆動させることによって、タッチパネル４５０への押圧による液晶表示パネル１１０の表示ムラを低減する。これにより押圧による表示ムラが問題となる画素領域Ｐだけについて選択的に駆動電圧を制限できる。その結果、駆動電圧制限が必要な画素領域だけその透過率が下がるため、全体的な透過率の低減を抑えることができ、明るい表示が可能である。
【００４４】
加えてこの変形例では、制御回路１５０は、タッチパネル４５０への接触が検出される部分およびその周辺部分に対応する電極であって、かつ駆動電圧が最大駆動電圧の７５％以上である部分に対応する電極の駆動電圧が、最大駆動電圧の２０％以上かつ７０％以下であるように駆動電圧を制限してもよい。これにより駆動電圧の制限が必要な画素領域Ｐだけに、駆動電圧の制限を加えることができる。駆動電圧が制限される画素領域Ｐだけしかその透過率が下がらないで、全体的な透過率の低減を抑えることができ、明るい表示が可能である。
【００４５】
（接触が検出時において、駆動電圧が高い領域のみの駆動電圧制限）
別の変形例では、制御回路１５０は、接触が検出されたときに、駆動電圧が最大駆動電圧の７５％以上である部分に対応する画素領域Ｐについてだけ、駆動電圧が最大駆動電圧の２０％以上かつ７０％以下であるように駆動電圧を制限する。
【００４６】
上記駆動電圧の制限は、制御回路１５０によって実現できる。具体的には、制御回路１５０は、ソフトウェアまたはハードウェア、またはこれらの組み合わせを用いて、駆動電圧の制限が必要な画素について、駆動電圧を制限することができる。
【産業上の利用可能性】
【００４７】
本発明の液晶表示装置は、例えば、接触による押圧に起因する表示ムラが少ないことが好ましい液晶表示装置において有用である。
【符号の説明】
【００４８】
１００  液晶表示装置
１１０  液晶表示パネル
１２０  ソースドライバ
１３０  ゲートドライバ
１４０  ＣＳドライバ
１５０  制御回路
４５０  タッチパネル
【図１】
2011197305.tif 000003
【図２】
2011197305.tif 000004
【図３】
2011197305.tif 000005
【図４】
2011197305.tif 000006
【図５】
2011197305.tif 000007
【図６】
2011197305.tif 000008
【図７】
2011197305.tif 000009
【図８】
2011197305.tif 000010
【図９】
2011197305.tif 000011